(57)【特許請求の範囲】
【請求項１】
送受信器を保持する本体と、該本体をズボン、スカートなどのベルトに装着させるベルト押さえとを備え、
前記本体は、前記送受信器を担持する台と、一端が当該台に固定され且つ他端が当該台に着脱可能に固定される前記送受信器を把持するカバーとからなり、
前記ベルト押さえは、前記本体に対して斜めに位置して前記台に取り付けられており、かつ、前記の台が、固定側台部材と，該固定側台部材に対して前記送受信器の幅方向にスライド可能に保持された可動側台部材と、からなることを特徴とする、移動体通信システムにおける送受信器のキャリングケース。
【請求項２】
送受信器を保持する本体と、該本体をズボン、スカートなどのベルトに装着させるベルト押さえとを備え、
前記本体は、前記送受信器を担持する台と、一端が当該台に固定され且つ他端が当該台に着脱可能に固定される前記送受信器を把持するカバーとからなり、
前記ベルト押さえは、前記本体に対して斜めに位置して前記台に取り付けられており、
かつ、前記ベルト押さえは、前記台の背面に配置され、前記本体に取り付けられる固定部分（３１）と、開閉可能な可動部分（３２）とから成っていて、閉じられたときの断面形状が略Ｕ字状をなし、
前記固定部分および可動部分の自由端が、相互に接近する方向に折り曲げられて壁状をなし、閉じられたとき壁状部同志が重なり合うようになっていて、
前記固定部分の先端の壁（３３）の中央付近に切欠き（３５）が形成されるとともに、
前記可動部分の壁（３４）の先端に、この壁を更に折り返す形に第２の壁（３８）が、弾性変形可能に連結されており、
上記第２の壁（３８）に突起（３６）が設けられていて、この突起を前記の切欠き（３５）に嵌め込むことにより、前記可動部分（３２）を固定部分（３１）に対して留め付け得るようになっていることを特徴とする、移動体通信システムにおける送受信器のキャリングケース。
【発明の詳細な説明】
【０００１】
【発明の属する技術分野】
この発明はＰＨＳ（パーソナル・ハンディ・フォン・システム）、携帯電話システムなどの移動体通信システムにおける送受信器のキャリングケースに関している。
なお、本発明において上記の送受信器を電話機と略称する場合が有るが、両者は同じ意味である。
【０００２】
【従来の技術】
この種の通信システム、例えば移動電話における電話機のキャリングケースは、従来、上部に開口をもつ袋状の形態をもち、その背面壁の上部が開口を覆いながら正面壁にむかって延び、例えばスナップボタンによって背面壁の自由端が正面壁に連結されている。電話機の挿入は、スナップボタンを外し、背面壁の延長部分を開き、電話機を本体にはめ、背面壁の延長部分をスナップボタンで固定することによって行われる。身体に対する装着は、背面壁に一端を結合されたバンドをベルトの背面に通し、バンドの自由端を背面壁にスナップボタンで連結することによって行われる。
【０００３】
【発明が解決しようとする課題】
しかしながらこのようなものでは、使用者が椅子や車のシートに座ったりすると、電話機が入ったキャリングケースが腿にあたり、キャリングケースの下部がベルトと一緒に持ち上がるため、使用者は不快であるばかりか、座るたびに位置をずらしたりしなければならず不便である。そこで、キャリングケースを腰の背後に配置したりするが、キャリングケースが椅子の背もたれにぶつかるため、たびたび座る深さを調整したり、キャリングケースの位置をずらしたりしなければならない。また、使用した電話機をキャリングケースに入れるときには、キャリングケースを身体前面近くに移動させなければならない。この他に、電話機を上着のポケットに入れたりすることもあるが、電話機は電池を組み付けられ、かなりの重量があるため、歩行中にポケットの中で動いたり、小走りするとポケットの中で踊ったりして上着が着崩れしやすくなる。また、夏季などに上着を脱いだときに、電話機の入ったキャリングケースを上着とは別に手でぶら下げなければならず、たえず手がふさがることになって、かなり不便である。
【０００４】
本発明の目的は、移動体通信システムにおける送受信器の携行、特に該送受信器の着脱をより迅速容易に行なうことができる、改良されたキャリングケースを提供することである。
【０００５】
【課題を解決するための手段】
上記の目的を達成するために創作された請求項１の発明に係るキャリングケースの構成は、送受信器を保持する本体と、該本体をズボン、スカートなどのベルトに装着させるベルト押さえとを備え、
前記本体は、前記送受信器を担持する台と、一端が当該台に固定され且つ他端が当該台に着脱可能に固定される前記送受信器を把持するカバーとからなり、
前記ベルト押さえは、前記本体に対して斜めに位置して前記台に取り付けられており、かつ、前記の台が、固定側台部材と，該固定側台部材に対して前記送受信器の幅方向にスライド可能に保持された可動側台部材と、からなることを特徴とする。
【０００６】
請求項２に係る発明に係るキャリングケースの構成は、
送受信器を保持する本体と、該本体をズボン、スカートなどのベルトに装着させるベルト押さえとを備え、
前記本体は、前記送受信器を担持する台と、一端が当該台に固定され且つ他端が当該台に着脱可能に固定される前記送受信器を把持するカバーとからなり、
前記ベルト押さえは、前記本体に対して斜めに位置して前記台に取り付けられており、
かつ、前記ベルト押さえは、前記台の背面に配置され、前記本体に取り付けられる固定部分（３１）と、開閉可能な可動部分（３２）とから成っていて、閉じられたときその主要部の断面形状が略Ｕ字状をなし、
前記固定部分および可動部分の自由端が、相互に接近する方向に折り曲げられて壁状をなし、閉じられたときに重なり合うようになっていて、
前記固定部分の先端の壁（３３）の中央付近に切欠き（３５）が形成されるとともに、
前記可動部分の壁（３４）の先端に、この壁を更に折り返す形に第２の壁（３８）が、弾性変形可能に連結されており、
上記第２の壁（３８）に突起（３６）が設けられていて、この突起を前記の切欠き（３５）に嵌め込むことにより、前記可動部分（３２）を固定部分（３１）に対して留め付け得るようになっていることを特徴とする。
【０００９】
【発明の実施の形態】
図１乃至図１５は本発明の移動体通信システムにおける送受信器のキャリングケースの一実施例を示している。
【００１０】
このキャリングケースは、携帯電話システムにおける電話機、例えば厚さ方向に薄い直方体の形状をもつ携帯電話機を携行するためのもので、図１ないし図４に示すように、電話機１０を保持する本体１１と、本体１１をズボンやスカートなどのベルト１２に取り付けるためのベルト押さえ１３とを具備する。
【００１１】
本体１１は、台２０およびカバー２１から構成される。台２０は、フラットな背面壁２２、背面壁２２の両側縁に配置された側面壁２３，２４および背面壁２２の下縁に配置された底面壁２５をもっている。側面壁２３の高さは市販されている最も薄い電話機の厚さに対応し、側面壁２３と側面壁２４との間の幅は市販されている最も広い電話機の幅に、そして、背面壁２２の長さは市販されている最も長い電話機の全長にそれぞれ対応している。背面壁２２の外表面にはカバー押さえ２６，２７が取り付けられている。カバー押さえ２６，２７自体は例えばマジックテープから成り、ほぼ背面壁２２の幅いっぱいに配置されている。台２０自体は、例えば、合成樹脂、金属薄板、厚紙のような剛性のある材料の成形品あるいはこれらの材料の板材を組み立てたものであり、これらには模様をプリントしたあるいは着色を施した布、合成皮革、合成樹脂シートやフィルムなどが被覆されている。
【００１２】
カバー２１は、フレキシブルなシート状のもので、台２０の側面壁２３に一端が固定されており、この側面壁２３から側面壁２４に向かって、更には側面壁２４から背面壁２２へ向かって台２０に巻き付けられている。これにより上部が開口した容器、即ち本体１１が台２０と一緒に形成される。カバー２１の自由端側内表面にはマジックテープなどのカバー押さえ２８，２９が取り付けられ、これらのマジックテープ２８，２９は台２０の背面にあるマジックテープ２６，２７に貼り付けられている。カバー２１自体は、台２０の側面壁２３に布、合成樹脂などのシートを固定し、台２０と同様に、模様をプリントしたあるいは着色した布、合成皮革、合成樹脂シートやフィルムなどで被覆することによって作られる。カバー２１の長さは台２０およびカバー２１によって形成される空間に、市販されている最も厚い電話機１０を挿入することができる長さとなっている。
【００１３】
ベルト押さえ１３は台２０の背面に配置されている。ベルト押さえ１３は、例えば合成樹脂成形物から成り、ほぼＵ字の形態をしており、図５乃至図７によく示されているように、本体１１に取り付けられる固定部分３１および開閉可能な可動部分３２から構成される。これらの固定部分３１および可動部分３２は、自由端に、ベルト押さえ１３の内側に向かって曲げられた壁３３，３４をそれぞれ具備している。壁３３には中央付近に切り欠き３５が形成されており、壁３４の下端には壁３８が設けられている。壁３８は折り曲げ可能に壁３４の下端につながれており、ベルト押さえ１３の外側となる表面には突起が設けられている。この突起は、頭部３６と首部３７とをもつもので、壁３４と一体に形成されている。
このベルト押さえ１３は、本体１１の長手方向中心軸に対して傾斜し、且つ電話機を挿入した本体１１の重心位置からずれて台２０の背面に配置されていると共に、固定部分３１をリベットなどで台２０に結合することによって本体１１に固定されている。
【００１４】
ズボンやスカートのベルト１２に対するキャリングケースの装着は、ベルト押さえ１３の可動部分３２を開き、ベルト１２が可動部分３２と固定部分３１との間に位置するようにベルト押さえ１３をベルト１２に差し込み、可動部分３２をベルト１２に向かって押すことによって成される。可動部分３２が押されると、突起をもつ壁３８が曲げられながら可動部分３２の壁３４と一緒に固定部分３１の壁３３の内側にはめ込まれ、突起の首部３７が切り欠き３５に嵌り、その結果、頭部３６が切り欠き３５からの突起の抜け出しを阻止すると共に、壁３８のスプリング力が切り欠き３５の開放部分からの突起の抜け出しを止めることができる。図８はキャリングケースをベルトに装着した状態を示している。
【００１５】
電話機１０の挿入は、カバー２１を開いた状態にて、本体１１の台２０を形成している背面壁２２、側面壁２３，２４および底面壁２５によって形成される空間に電話機１０を挿入し、カバー２１を被せた後に、カバー２１のマジックテープ（登録商標）２８，２９を台２０のマジックテープ（登録商標）２６，２７に貼り付けることによって行われる。カバー２１を被せると、図２ないし図４に示すように、電話機１０は上部をカバー２１から露出した状態で台２０およびカバー２１によって保持される。このときに、側面壁２３と側面壁２４との間の幅は最も広い電話機の幅に対応している。また、カバー２１を固定する本体１１上のマジックテープ（登録商標）２６，２７は、ほぼ台２０の幅いっぱいの長さをもっている。そのため、電話機１０の厚みが異なっても、電話機１０は台２０にしっかり保持される。
【００１６】
電話機１０の使用は、これを本体１１から引き抜くことによって行われる。このときに、電話機１０および本体１１は、身体の中心軸に対して傾斜すると共に、電話機１０の上部が身体の前面を向いており、しかも、電話機１０の上部が本体１１およびカバー２１から露出しているため、電話機１０を本体１１からスムーズに引き抜くことができる。また再挿入も、本体１１が剛性のある材料のため、台２０およびカバー２１によって形成される上部開口が変形しないためスムーズに行うことができる。更にまた、使用者が歩行したときに、本体１１がベルト押さえ１３を中心として回転しようとするが、ベルト押さえ１３が本体１１の背面壁２２の側縁上部付近に配置されている。つまりベルト押さえ１３が電話機１０を保持している本体１１の重心点からずれて配置されており、かつベルト押さえ１３が回転中心の両側にてベルト１２の上縁と下縁とに接触して本体１１の回転を止めているため、身体上でふらつく事を防止できる。そして、使用者が椅子などに座っても、本体１１が身体の中心軸に対して傾斜して身体に装着されるため、本体１１の下端が腿などに接触せず、よって使用者に不快感をあたえることもなく、また再装着などの手間もかからない。
【００１７】
さらに、このキャリングケースでは必要に応じて、次の段落で説明するストラップ１４によって、電話機１０を身体に取り付けることができる。
【００１８】
ストラップ１４は、図９および図１０に示すように、織物や合成樹脂シートなどのフレキシブルな材料からなるバンドの形態をもつ本体４１を具備している。この本体４１の一端には間隔をおいてマジックテープなどの押さえ４２，４３が固定されている。本体４１の他端にはバックルの形態をもつ留め具４４がはめられ、本体４１の端部が留め具４４に結合されている。この場合、留め具４４をずらし、留め具４４によって形成されるループ４１Ａの長さを調整することによって、本体４１の全長を変えることができる。ループ４１Ａにはリング４５が嵌められ、リング４５には延長体４６が取り付けられている。延長体４６も織物や合成樹脂シートなどから成り、かつバンドの形態をもち、端部には間隔をおいてマジックテープ４７，４８が固定されている。また、本体４１におけるループ４１Ａには開閉具が取り付けられている。この開閉具は、ほぼチャネル形断面をもつ部材４９と、この部材に開閉可能に取り付けられた部材５０とから構成され、本体４１がこれらの部材４９，５０の間を通るようにループ４１Ａに嵌められる。この開閉具は、部材５０を開くことによって、本体４１に沿って移動させることができると共に、部材５０を閉じることにより、部材５０にある歯が本体４１にくい込み、開閉具の位置が固定される。部材５０にはバンドの形態をもつ延長体５１が固定され、延長体５１の自由端にはリング５２が取り付けられている。リング５２には止め具５３および板状部材５４が取り付けられている。止め具５３は伸縮可能なバンドから構成され、両端にフック５５，５６が固定されている。この止め具５３はリボン５７によってリング５２につながれている。板状部材５４は、キャリングケースのベルト押さえ１３の固定部分３１と可動部分３２との間に挟持され得るサイズと形状とをもつ。
【００１９】
本体１１には、図１乃至図４に示すように、背面壁２２にストラップ１４のフック５５に対するアンカー５８が、側面壁２３にフック５６に対するアンカー５９がそれぞれ設けられている。これらのアンカー５８，５９は、ほぼチャネル形断面をもつ部材から成る。アンカー５８は、溝を背面壁２２に向け、ベルト押さえ１３とほぼ平行に背面壁２２に配置かつ固定される。一方、アンカー５９は、溝を側面壁２３に向け、ベルト押さえ１３とほぼ平行に側面壁２３に配置かつ固定される。
【００２０】
このストラップ１４は、例えば図１１に実線で描かれているように使用者の左肩に掛けることもでき、破線で描かれているように襷（たすき）掛けにすることもできる。
この場合、図９に示すように、ストラップ１４の両端に形成されるリングにベルト１２を通すことによって使用者に装着される。
上記のリングは、ストラップ１４に取り付けられているマジックテープ（登録商標）４２，同４３を貼り合わせることによって、また、マジックテープ（登録商標）４６，同４７を貼り合わせることによって形成される。  
この図１１のように装着する具体的な手順について、図９を併せて参照しながら説明すると次の通りである。
図９に示されているストラップ１４の中央部（図では破線で描かれている）を左肩に掛け、両端部を腰の辺りに垂れ下がらせる。
ストラップ１４の片方の端部に設けられているマジックテープ（登録商標）４２を、ズボン、スカートなどのベルト１２の内側（身体に接する側）に通し、上に折り返してマジックテープ（登録商標）４３に貼り合わせる。
同様に、ストラップ１４の他端部に設けられているマジックテープ（登録商標）４７を腰のベルト１２の内側に通し、上に折り返してマジックテープ（登録商標）４６に貼り合わせる。符号４８は、貼り合わされたマジックテープ（登録商標）の位置を示している。
前記のマジックテープ（登録商標）４２、同４３を用いて図１２に図示したように装着することもできる。
この場合は図１４に示すように、ストラップ１４の片方の端部に設けられいるマジックテープ（登録商標）４２、４３で該ストラップ１４を挟みつけてリング１４Ａを形成する。このリング１４Ａは拡げたり縮めたりできるので、該リング１４Ａの中に左肩と頭とを入れて図１２のように装着すれば良い。この場合、リング１４Ａと反対側の端は、図１１におけると同様にして腰のベルト１２に取り付けておく。
前記のリング１４Ａを形成すると、図１３に示したように、該リング１４Ａを右肩に掛け、更に首の後ろを引き回して左肩に掛けることもできる。
【００２１】
これらにおいてストラップ１４と本体１１との結合は、図１５および図１６に示すように、開閉具４９，５０によって延長体５１の位置を調整し、ベルト押さえ１３を開き、板状部材５４をベルト押さえ１３によってはさみ、ベルト押さえ１３およびストラップ本体４１の上に止め具５３をかぶせ、止め具５３のフック５５，５６を台２０にあるアンカー５８，５９に嵌めることによって行われる。止め具５３は、伸長された状態において本体１１に取り付けられ、ベルト押さえ１３およびストラップ本体４１に密着してベルト押さえ１３およびストラップ本体４１の位置を固定すると共に、フック５５，５６がアンカー５８，５９から簡単に外れないようにする。
【００２２】
ストラップ１４が図１１乃至図１３に示すように身体に装着されると、ベルト押さえ１３が本体１１の背面壁２２に斜め下方に配置されているため、電話機１０および本体１１は身体の中心軸に対して傾斜すると共に、上部が身体の前面を向き、下部が身体の側面に向くように配置される。更に、この装着状態により、本体１１および電話機１０のほとんどが上着の内部に隠れるばかりか、本体１１の上部がストラップ１４に結合されるため、電話機１０および本体１１が身体にしっかりと保持される。また電話機１０を本体１１に対して着脱するときにも、電話機１０の上部が身体の前面を向いて傾斜し、さらに電話機１０の上部が本体１１およびカバー２１から露出し、しかも、本体１１がストラップ１４に固定されてほとんど動かないため、電話機１０を本体１１からスムーズに取り出すことができ、本体１１にスムーズに再挿入することもできる。そして、使用者が歩行するときにも、本体１１が留め具５３によってストラップ１４に結合され、電話機１０および本体１１の回転が止められているため、電話機１０および本体１１が身体上で全くふらつかない。
【００２３】
図１７ないし図２１は本発明の移動体通信システムにおける送受信器のキャリングケースの他の実施例を示している。
このキャリングケースも、厚さ方向に薄い直方体の形状をもつ携帯電話機１０を携行するように構成されたもので、電話機１０を保持する本体１１１と、本体１１１をズボンやスカートのベルト１２に装着させるベルト押さえ１１３とを具備している。
本体１１１は台およびカバー１２１から構成される。該台は、背面壁１２２、背面壁１２２の両側縁に配置された側面壁１２３，１２４および背面壁１２２の下縁に配置された底面壁１２５によって構成されており、背面壁１２２にはベルト押さえ１１３が取り付けられている。また、背面壁１２２および側面壁１２３にはストラップのフックに対するアンカー１５８，１５９が取り付けられている。ベルト押さえ１１３は、図１乃至図１６に説明したキャリングケースにおけるベルト押さえ１３と同様に構成され、本体１１１の長手方向中心軸に対して傾斜して配置されていると共に、電話機１０を挿入した本体１１１の重心点からずれて本体上に配置されている。
アンカー１５８，１５９も図１ないし図１０に説明したキャリングケースにおけるアンカー５８，５９と同じ構成をもち且つこのアンカー５８，５９と同じように本体１１１に配置されている。
またカバー１２１は、側面壁１２３に一端が固定されており、この側面壁１２３から側面壁１２４に向かって、更には側面壁１２４から背面壁１２２へ向かって台１２０に巻き付けられる。これにより、上部が開口した容器、即ち本体１１１が台１２０といっしょに形成される。そして、カバー１２１の自由端における内表面および本体１１１の背面壁１２２には図１ないし図１６に説明したキャリングケースと同様に、マジックテープ（登録商標）などからなるカバー押さえ１２８，１２９およびカバー押さえ１２６，１２７がそれぞれ設けられている。
【００２４】
このキャリングケースにおいて、側面壁１２３の高さは市販されている最も薄い電話機の厚さに対応し、背面壁１２２の長さは市販されている最も背の高い電話機の高さに対応するサイズをもっている。更に、背面壁１２２の幅は市販されている最も幅のせまい電話機の幅に対応するサイズがあたえられていると共に、側面壁１２４がスライドできるようになっている。この結果、電話機の幅が異なっていても、電話機が簡単に抜け出さないようにでき、また容易かつスムーズに本体１１１への着脱が行える。
【００２５】
このように、側面壁１２４をスライドさせるために、本体１１１を構成する台は二つの台部材から構成される。片方の台部材は背面壁１２２、側面壁１２３および底面壁１２５をもつ、合成樹脂の一体成形物や金属板のプレス成形物などから成るもので、図２１に示されているように壁１２２Ａが背面壁１２２の背面に積層かつ接着されている。
カバー押さえ１２６，１２７（図１９）はこの積層壁１２２Ａに取り付けられている。もう片方の台部材は、側面壁１２４によって形成されているが、側面壁１２４の下端縁（図１８において紙面の奥行き方向の端の縁）から側面壁１２４と直角に延びる一対の脚１６０を具備し、例えば合成樹脂を成形したり、金属板をプレス加工するなどして作られる。この台部材の脚１６０を背面壁１２２にあるホルダ１６１に挿入すると、背面壁１２２、側面壁１２３および底面壁１２５から成る台部材に対して側面壁１２４がスライドできるようになる。このスライドの方向は、送受信器の幅方向に相当する。
上記のホルダ１６１については、図２０及び図２１を参照して後に詳しく説明する。
カバー１２１は、フレキシブルな合成樹脂シートなどから成り、両端縁は台１２０の側面壁１２３から側面壁１２４を経て背面壁１２２までを覆うように配置されている。このカバー１２１の側面壁１２３側の端部は側面壁１２３に熱溶着され、また背面壁１２２側の端部にはカバー押さえ１２６，１２７に貼り付けられるマジックテープ（登録商標）１２８，１２９が取り付けられている。
【００２６】
前掲の図１８に示したキャリングケースの本体１１１に設けられているホルダ１６１の詳細を図２０及び図２１に示す。
ホルダ１６１は側面壁１２４を含む移動側台部材の脚１６０が嵌まる細孔１６２を具備している。細孔１６２は、背面壁１２２の一部を本体１１１の内側に突出させ、これによって背面壁１２２の外側に形成されたへこみを積層壁１２２Ａが覆うことによって形成される。この細孔１６２を形成する突出部分には、略矩形の貫通穴が形成され、且つこの貫通穴に対応した板状部材（開閉部分１６３）がその貫通穴の一端に一体に形成される。これにより、開閉部分１６３は開閉可能となる。
開閉部分１６３の先端における積層壁１２２Ａを向いた面には突起１６４が一体に形成されている。積層壁１２２Ａにおける突起１６４に対応する位置には角孔１６５が設けられている。脚１６０には例えば三個の角孔１６６が脚１６０の長手方向に沿って等間隔に設けられている。突起１６４はこれらの角孔１６６のひとつに嵌まり込んでいる。
【００２７】
側面壁１２４のスライドは、積層壁１２２Ａの外側（本体１１１の外側）からシャープペンシルの先端などを角孔１６５，１６６に差し入れ、図２１に破線で示すように、突起１６４を角孔１６６から押し出したあと、側面壁１２４を移動させることによって行われる。隣接する角孔１６６が突起１６４および角孔１６５に一致すると、突起１６４がこの隣接角孔１６６に嵌まり込み、側面壁１２４を含む移動側台部材がロックされる。
再び突起１６４を押し、側面壁１２４を移動させ、三番目の角孔１６６を角孔１６５に一致させると、突起１６４が三番目の角孔１６６に入り込んで、側面壁１２４の位置がロックされる。
【００２８】
このキャリングケースに対する最も幅のひろい電話機１０の挿入は以下のように行う。例えば、まずカバー１２１を開き、背面壁１２２の外側からシャープペンシルの先端などを角孔１６５，１６６に入れて突起１６４を脚１６０にある角孔１６６から押し出し、電話機１０の幅に対応する位置まで移動側台部材をスライドさせる。こうして、図１７ないし図１９に示すように、突起１６４を脚１６０の最外側にある角孔１６６にはめて側面壁１２４の位置決めを行う。次に、電話機１０の正面を背面壁１２２に対面させながら、電話機１０を背面壁１２２、側面壁１２３，１２４および底面壁１２５によって形成される空間に挿入し、カバー１２１を被せ、カバー１２１のマジックテープ１２８，１２９を台１２０のマジックテープ１２６，１２７に貼り付けて挿入が完了する。カバー１２１を被せると、電話機１０は、上部をカバー１２１から露出させて台１２０およびカバー１２１によって保持される。このときに、側面壁１２３と側面壁１２４との間の距離は電話機１０の幅にほぼ対応しているため、電話機１０は、がたつくことなしに本体１１１に保持される。
【００２９】
さらに、このキャリングケースにおいて、移動側台部材には、側面壁１２４と脚１６０との接合部分付近に突出１６７が設けられている。一方、固定側台部材には、細孔１６２を形成する突出における細孔１６２の開口側端部が、突出１６７のスライド方向の幅に対応して切除されている。更に固定側台部材には、側面壁１２３と背面壁１２２との接合部分の付近に位置しかつ突出１６７と本体１１１の長手方向中心軸に対して対称的に位置する突出１６８が形成されている。これらの突出１６７，１６８は、前述のように電話機１０が本体１１１に挿入されると、電話機１０の正面壁の両側縁に突出１６７，１６８が接触し、電話機１０のボタン類と台１２０の背面壁１２２やホルダ１６１との間に空間が形成されるため、電話機１０のボタン類が背面壁１２２やホルダ１６１に接触せず、電話機１０の誤作動を防止する。
【００３０】
ズボンやスカートのベルト１２に対する装着は、図１乃至図１６に説明したキャリングケースのベルト押さえと同様に、ベルト押さえ１１３を開き、ベルト１２が可動部分１３２と固定部分１３１との間に位置するようにベルト押さえ１１３をベルト１２に差し込み、可動部分１３２をベルト１２に向かって押し、可動部分１３２を固定部分１３１にロックすることによって行われる。そして、使用者が椅子などに座っても、本体１１１が身体の中心軸に対して傾斜して装着されているため、キャリアケースの本体１１１および電話機１０の下端が腿などに接触せず、使用者に不快感を与えず、装着状態を修正する必要を生じない。
【００３１】
電話機１０の使用は、これを本体１１１から引き抜くことによってなされる。このときに、電話機１０および本体１１１は身体の中心軸に対して傾斜すると共に、電話機１０の上部が身体の前面を向いており、しかも、電話機１０の上部が本体１１１およびカバー１２１から露出しているため、電話機１０を本体１１１から迅速にかつスムーズに取り出すことができる。キャリングケースへの再挿入も、本体１１１が剛性のある材料からなり、本体１１１における台１２０およびカバー１２１によって形成される上部開口が変形しないので容易かつスムーズに行うことができる。また、突出１６７，１６８が電話機１０と本体１１１の背面壁１２２との間にすき間を形成するため、本体１１１に対する電話機１０の挿入および取り出しをスムーズに行え、且つ電話機１０のボタン類が本体１１１に接触することによる電話機１０の誤作動を防止することができる。
【００３２】
幅がより小さい電話機の挿入は、同様に、各々の電話機の幅に対応する位置まで移動側台部材を外側に引き出し、側面壁１２４の位置決めをおこなった後、電話機を背面壁１２２、側面壁１２３，１２４および底面壁１２５によって形成される空間に挿入し、カバー１２１を被らせることによって行う。このときにも、突出１６７，１６８が電話機の両側縁に接触して、電話機の正面壁と台１２０の背面壁１２２、ホルダ１６１などとの間に空間を形成するので、電話機のボタンなどがこれらに接触することによる誤作動を防げる。
【００３３】
さらに、このキャリングケースは、ストラップ１４を使用することによって、電話機１０を身体に保持させることもできる。使用者へのストラップ１４の装着は、図１１に説明したように、ストラップ１４を使用者の左肩に掛け、使用者の背面にあるストラップ１４の端部をベルト１２に取り付けることによって、あるいは、図１２に説明したように、ストラップ１４の一端にリング１４Ａを形成し、このリング１４Ａに使用者の頭および左肩を通して、ストラップ１４を右肩に掛けることによって、もしくは、図１３に説明したように、ストラップ１４の一端にリング１４Ａを形成し、このリング１４Ａに片腕を通し、ストラップ１４の中間部分を使用者の首の背面にまわすことによってなされる。ストラップ１４への本体１１１の装着は、ストラップ１４の板状部材５４を本体１１１のベルト押さえ１１３によってはさみ、ベルト押さえ１１３およびストラップ本体４１に止め具５３を被せると共に、止め具５３のフック５５，５６を台１２０にあるアンカー１５８，１５９に係合させることによってなされる。このときにも、電話機１０および本体１１１がストラップ１４によって固定され、ほとんど動かないため、本体１１１に対する電話機１０の着脱を容易にかつスムーズに行え、また歩行に際しても電話機１０および本体１１１が身体上でまったくふらつかない。
【００３４】
【発明の効果】
本発明の移動体通信システムにおける送受信器のキャリングケースは、以上述べたように、身体行動の邪魔にならないように、身体に装着することができるため、送受信器の携行を容易に行え、しかも、送受信器の出し入れも迅速かつ容易に行なえる。
特に、各種送受信器の形状寸法に順応することができ、更に、当該キャリングケースをベルトに対して迅速容易に着脱することができる。
【図面の簡単な説明】
【図１】本発明の移動体通信システムにおける送受信器のキャリングケースの一実施例を示す平面図である。
【図２】正面図である。
【図３】右側面図である。
【図４】背面図である。
【図５】ベルト押さえの拡大正面図である。
【図６】ベルト押さえの側面図である。
【図７】図５のＡ−Ａ線にそう断面図である。
【図８】使用状態の一例を示す説明図である。
【図９】ストラップの正面図である。
【図１０】図９のＢ−Ｂ線にそうストラップの側面図である。
【図１１】身体に対するストラップの装着状態を示す説明図である。
【図１２】身体に対するストラップの他の装着状態を示す説明図である。
【図１３】身体に対するストラップのさらに他の装着状態を示す説明図である。
【図１４】ストラップにリングを形成する状態を示す説明図である。
【図１５】キャリングケースとストラップとの取り付け状態を示す正面図である。
【図１６】キャリングケースとストラップとの取り付け状態を示す背面図である。
【図１７】本発明の移動体通信システムにおける送受信器のキャリングケースの他の実施例を示す平面図である。
【図１８】図１７に示すキャリングケースの一部を破断された正面図である。
【図１９】図１７に示すキャリングケースの右側面図である。
【図２０】図１８の一部分の拡大正面図である。
【図２１】図２０のＣ−Ｃ線にそう断面図である。
【符号の説明】
１０…送受信器（電話機）
１１，１１１…本体
１３，１１３…ベルト押さえ
１２…ベルト
２０…台
２１，１２１…カバー
３１…ベルト押さえの固定部分
３２…ベルト押さえの可動部分
３３…固定部分先端の壁
３４…可動部分先端の壁
３５…切欠き
３８…第２の壁
１４…ストラップ
４２，４３…リング形成手段
５４…ベルト押さえとの係合手段
【図１】
0003718811.tif 000002
【図２】
0003718811.tif 000003
【図３】
0003718811.tif 000004
【図４】
0003718811.tif 000005
【図５】
0003718811.tif 000006
【図６】
0003718811.tif 000007
【図７】
0003718811.tif 000008
【図８】
0003718811.tif 000009
【図９】
0003718811.tif 000010
【図１０】
0003718811.tif 000011
【図１１】
0003718811.tif 000012
【図１２】
0003718811.tif 000013
【図１３】
0003718811.tif 000014
【図１４】
0003718811.tif 000015
【図１５】
0003718811.tif 000016
【図１６】
0003718811.tif 000017
【図１７】
0003718811.tif 000018
【図１８】
0003718811.tif 000019
【図１９】
0003718811.tif 000020
【図２０】
0003718811.tif 000021
【図２１】
0003718811.tif 000022